(57)【特許請求の範囲】
【請求項１】
建物の勾配屋根（１）の棟部（２）に親綱用支柱（１０）を立設して、建物外周に配置した外部足場（３）（３）間に前記棟部（２）に沿って差し渡した棟用親綱（４）を、前記親綱用支柱（１０）の綱挿通部（１２）に挿通させることで、前記棟用親綱（４）を前記棟部（２）から浮かした状態で張設し、下屋（５）やバルコニー等の外周張出部の直上に位置する前記勾配屋根（１）の軒部（６）において、建物外周に配置した外部足場（３）（３）間に前記軒部（６）に沿って差し渡した軒用親綱（７）を、前記軒部（６）から浮かした状態で張設し、この軒用親綱（７）と前記親綱用支柱（１０）とを連結綱（８）を介して連結したことを特徴とする親綱の張設構造。
【請求項２】
前記親綱用支柱（１０）を、地上において施工前の屋根トラス（２０）の頂部に予め取り付けた請求項１記載の親綱の張設構造。
【請求項３】
前記親綱用支柱（１０）を、屋根トラス（２０）の頂部にジョイント部材（２１）を介して取り付け、このジョイント部材（２１）は、前記屋根トラス（２０）に母屋（５２）及び野地板（５３）を設置したときに生じる棟隙間（５５）に配置可能な上方開放の凹状本体部（２２）と、この凹状本体部（２２）の上端間に跨って着脱可能に取り付けた支柱設置部（２３）とを備え、前記凹状本体部（２２）の底片（２５）を、前記屋根トラス（２０）の頂部にボルト（３６）（３６）によって固定するとともに、前記親綱用支柱（１０）の下端を、前記支柱設置部（２３）にボルト（３４）（３４）によって固定した請求項１又は２記載の親綱の張設構造。
【請求項４】
前記親綱用支柱（１０）の綱挿通部（１２）は、棒材を略螺旋状に巻回してなり、その螺旋内側の開口（１６）に対して、前記棟用親綱（４）を挿通させるとともに、前記棟用親綱（４）に係止した命綱フック（５１）を通過可能とし、前記開口（１６）の外周部分を一部開放する棒材両端間の隙間（１７）に対して、前記命綱フック（５１）に取り付けた命綱（５０）を通過可能とした請求項１乃至３のいずれかに記載の親綱の張設構造。
【発明の詳細な説明】
【技術分野】
【０００１】
この発明は、建物の勾配屋根上における親綱の張設構造に関する。
【背景技術】
【０００２】
一般に、建物の勾配屋根上における野地板や防水シート、屋根板等の設置作業に際して、作業者に繋いだ命綱を勾配屋根上に張設した親綱に連結することで、作業者の転落を防止するといった安全対策が採られている。
【０００３】
従来、勾配屋根上における親綱の張設に際しては、建物外周に配置した外部足場間に、勾配屋根の棟部に沿うようにして親綱を差し渡すようにしていた。ところが、この場合、次のような不具合があった。例えば、外部足場の高さが棟部よりも低くなっていると、親綱が勾配屋根に干渉して、命綱の連結に支障をきたしたり、棟部付近の施工の妨げになっていた。かといって、外部足場から上方へ向けて支柱を突き出し、それら支柱間に親綱を差し渡すようにすれば、上記のような干渉を避けることができるものの、外部足場に対して支柱補強のための面倒な工事が別途必要となっていた。また、外部足場の高さが棟部よりも高くなっていて、親綱を勾配屋根に干渉させることなく張設するようにしても、外部足場間の距離が長いと、その分だけ親綱も長くなって弛み易くなり、安全性が損なわれることがあった。さらに、このように外部足場間に親綱を差し渡しただけでは、違い棟屋根のような複雑な形状の勾配屋根の棟部に沿って親綱を張設することが困難となっていた。
【０００４】
一方、例えば特許文献１にも開示されているように、勾配屋根の棟部に複数の親綱用支柱を立設して、これら親綱用支柱間に親綱を差し渡すことがある。この場合、外部足場の高さや外部足場間の距離に影響されることなく、親綱を棟部から浮かして状態で弛ませることなく張設することができ、しかも親綱用支柱の取付位置が任意に設定可能であるから、違い棟屋根のような複雑な形状の勾配屋根に対してもその棟部に沿って親綱を張設することができる。
【０００５】
【特許文献１】特開２０００−３５２１６４号公報
【発明の開示】
【発明が解決しようとする課題】
【０００６】
しかしながら、親綱用支柱間に親綱を差し渡した場合、命綱を介して親綱が引っ張られたときの荷重を、親綱用支柱によって負担することになるから、安全性において不安があった。また、安全性を高めるためには、親綱用支柱自体を堅牢な構造とするとともに、親綱用支柱を棟部に対して強固に固定する必要があるが、この場合、親綱用支柱の設置作業や撤去作業が面倒になるといった不具合があった。
【０００７】
この発明は、上記の不具合を解消して、外部足場の高さや外部足場間の距離に影響されることなく、安全性を十分に確保しながら、勾配屋根の棟部に沿って親綱を適切に張設することができる親綱の張設構造の提供を目的とする。
【課題を解決するための手段】
【０００８】
上記課題を解決するため、この発明の親綱の張設構造は、建物の勾配屋根１の棟部２に親綱用支柱１０を立設して、建物外周に配置した外部足場３、３間に前記棟部２に沿って差し渡した棟用親綱４を、前記親綱用支柱１０の綱挿通部１２に挿通させることで、前記棟用親綱４を前記棟部２から浮かした状態で張設している。
【０００９】
そして、下屋５やバルコニー等の外周張出部の直上に位置する前記勾配屋根１の軒部６において、建物外周に配置した外部足場３、３間に前記軒部６に沿って差し渡した軒用親綱７を、前記軒部６から浮かした状態で張設し、この軒用親綱７と前記親綱用支柱１０とを連結綱８を介して連結している。
【００１０】
さらに、前記親綱用支柱１０を、地上において施工前の屋根トラス２０の頂部に予め取り付けている。
【００１１】
また、前記親綱用支柱１０を、屋根トラス２０の頂部にジョイント部材２１を介して取り付け、このジョイント部材２１は、前記屋根トラス２０に母屋５２及び野地板５３を設置したときに生じる棟隙間５５に配置可能な上方開放の凹状本体部２２と、この凹状本体部２２の上端間に跨って着脱可能に取り付けた支柱設置部２３とを備え、前記凹状本体部２２の底片２５を、前記屋根トラス２０の頂部にボルト３６、３６によって固定するとともに、前記親綱用支柱１０の下端を、前記支柱設置部２３にボルト３４、３４によって固定している。
【００１２】
さらに、前記親綱用支柱１０の綱挿通部１２は、棒材を略螺旋状に巻回してなり、その螺旋内側の開口１６に対して、前記棟用親綱４を挿通させるとともに、前記棟用親綱４に係止した命綱フック５１を通過可能とし、前記開口１６の外周部分を一部開放する棒材両端間の隙間１７に対して、前記命綱フック５１に取り付けた命綱５０を通過可能としている。
【発明の効果】
【００１３】
この発明の親綱の張設構造においては、外部足場間に差し渡した棟用親綱を、勾配屋根の棟部に立設した親綱用支柱の綱挿通部に挿通させながら張設しているので、従来のように親綱を単に外部足場間に差し渡す場合と比べて、外部足場の高さや外部足場間の距離に影響されることなく、棟用親綱を棟部に沿わせながら棟部から浮かした状態で適切に張設することができる。しかも、親綱用支柱は、棟用親綱を単にガイドしているだけであって、棟用親綱が引っ張られたときの荷重は、あくまでも外部足場によって負担していることから、従来のように親綱を単に親綱用支柱間に差し渡す場合と比べて、親綱用支柱自体の構造や親綱用支柱の取付構造を簡単にしながら、高い安全性を確保することができる。
【００１４】
また、下屋やバルコニー等の外周張出部の直上に位置する勾配屋根の軒部においては、外部足場間に軒用親綱を差し渡しているので、この軒用親綱に対して作業者に繋いだ命綱を連結すれば、下屋足場や軒先水平ネット等の設置前であっても、安全性を確保しながら軒部での作業を行うことができ、作業性の向上を図ることができる。しかも、親綱用支柱と軒用親綱とを連結綱を介して連結しているので、軒用親綱の弛みを抑えて安全性をさらに高めることができる。
【００１５】
さらに、親綱用支柱を、地上において施工前の屋根トラスの頂部に予め取り付けることで、高所において施工後の屋根トラスに親綱用支柱を取り付ける場合のような危険な作業をなくして、安全性をさらに高めることができる。
【００１６】
また、母屋や野地板に干渉せず、しかも屋根上側からの操作だけで簡単に取り外し可能とした構造のジョイント部材を介して、親綱用支柱を屋根トラスの頂部に取り付けることで、より一層の作業性の向上を図ることができる。
【００１７】
さらにまた、親綱用支柱の綱挿通部を螺旋構造として、棟用親綱を容易に外れないように挿通させながらも、棟用親綱に係止した命綱フックの通り抜けを許容することで、棟部に沿った方向への移動に際して、命綱フックをいちいち掛け替える必要がなく、安全性及び作業性を良好に維持することができる。
【発明を実施するための最良の形態】
【００１８】
以下、この発明の実施形態を図面に基づいて詳細に説明する。図１乃至図３は、この発明の一実施形態に係る親綱の張設構造を示しており、例えば２階建て鉄骨住宅の勾配屋根である寄棟屋根１の棟部２に親綱用支柱１０・・を立設して、住宅外周に配置した桁行方向に対向する外部足場３、３間に棟部２に沿って差し渡した棟用親綱４を、その中間部分において親綱用支柱１０・・の綱挿通部１２・・に挿通させることで、棟用親綱４を棟部２から浮かした状態で張設している。
【００１９】
さらに、下屋５やバルコニー等の外周張出部の直上に位置する寄棟屋根１の軒部６においては、住宅外周に配置した桁行方向に対向する外部足場３、３間に軒部６に沿って軒用親綱７を差し渡して、この軒用親綱７と親綱用支柱１０とを連結綱８を介して連結している。
【００２０】
上記の張設構造に用いる親綱用支柱１０は、図４に示すように、柱部１１と、この柱部１１の上端に固定された綱挿通部１２と、柱部１１の下端に固定された取付部１３とを備えている。
【００２１】
柱部１１は、例えば金属製のパイプからなり、その上端には下向きの台座用ボルト１４が螺合されている。また、柱部１１の上端付近には、シャックル１５が取り付けられている。なお、この柱部１１に各種の安全標識を貼ることで、注意を促すようにしても良い。
【００２２】
綱挿通部１２は、例えば金属製の棒材を略螺旋状に巻回してなり、柱部１１の台座用ボルト１４に溶接等によって固着されている。図５は、綱挿通部１２を上方から見た状態を示しており、綱挿通部１２の螺旋内側には開口１６が形成され、その開口１６の外周上側部分が棒材両端間の隙間１７によって開放された状態となっている。なお、綱挿通部１２の両端部分１２ａ、１２ａは、隙間１７を拡げるように互いに外向きに折り曲げられている。
【００２３】
取付部１３は、例えば金属製の略長方形状のプレートからなり、柱部１１の下端に溶接等によって固着されている。この取付部１３には、柱部１１を挟んだ両側においてボルト挿通用の長孔１８、１８が形成されている。
【００２４】
上記構成の親綱用支柱１０は、地上において施工前の屋根トラス２０の頂部にジョイント部材２１を介して予め取り付けられる。このジョイント部材２１は、図４に示すように、上方開放の凹状本体部２２と、この凹状本体部２２の上端間に跨って着脱可能に取り付けられた支柱設置部２３とを備えている。
【００２５】
凹状本体部２２は、例えば金属製の帯状プレートを折曲形成してなり、ボルト挿通孔２４、２４付きの底片２５と、この底片２５の両端部から立ち上がった一対の側片２６、２６と、これら側片２６、２６の上端部を互いに離間する方向に折り曲げてなるボルト挿通孔２７、２７付きの一対のフランジ片２８、２８とから構成されている。
【００２６】
支柱設置部２３は、例えば金属製の略長方形状のプレートからなり、親綱用支柱１０の取付部１３の長孔１８、１８に対応したボルト挿通孔３０、３０と、凹状本体部２２のフランジ片２８、２８のボルト挿通孔２７、２７に対応したボルト挿通孔３１、３１とが形成されている。この支柱設置部２３は、凹状本体部２２のフランジ片２８、２８の上面間に跨るように載置した状態で、互いに一致させたボルト挿通孔２７、３１・・へ上方から下向きのボルト３２、３２を挿通させて、それらボルト３２、３２の下端に螺合したナット３３、３３を締め付けることで、凹状本体部２２に着脱可能に取り付けられている。
【００２７】
親綱用支柱１０のジョイント部材２１への固定に際しては、図６に示すように、親綱用支柱１０の取付部１３をジョイント部材２１の支柱設置部２３上に載置した状態で、互いに一致させた長孔１８、１８及びボルト挿通孔３０、３０へ下方から上向きのボルト３４、３４を挿通させて、それらボルト３４、３４の上端に螺合したナット３５、３５を締め付けるようにしている。
【００２８】
また、ジョイント部材２１の屋根トラス２０の頂部への固定に際しては、凹状本体部２２の底片２５のボルト挿通孔２４、２４へ挿通させた下向きのボルト３６、３６を、屋根トラス２０の頂部にねじ込むようにしている。
【００２９】
そして、親綱用支柱１０を取り付けた屋根トラス２０は、図７に示すように、クレーン４０で吊り上げられ、図示しない鉄骨躯体の梁に取り付けられる。従って、高所において施工後の屋根トラス２０に親綱用支柱１０を取り付ける場合のような危険な作業を廃止することができる。なお、施工前の屋根トラス２０に取り付ける親綱用支柱１０には、そのシャックル１５に連結綱８等を予め取り付けるようにしても良い。
【００３０】
このようして、複数の親綱用支柱１０・・を寄棟屋根１の棟部２に所定間隔をあけて立設した後、これら親綱用支柱１０・・における綱挿通部１２・・の開口１６に、上述したように住宅外周に配置した桁行方向に対向する外部足場３、３間に差し渡した棟用親綱４を挿通させることで、棟用親綱４を浮かした状態で棟部２にきっちりと沿わせながら、緊張させた状態で張設している。
【００３１】
これにより、従来のように親綱を単に外部足場間に差し渡す場合と比べて、外部足場３、３の高さや外部足場３、３間の距離に影響されることなく、棟用親綱４を適切に張設することができる。また、親綱用支柱１０・・は、棟用親綱４を単に持ち上げるようにガイドしているだけであって、棟用親綱４が引っ張られたときの荷重は、あくまでも外部足場３、３によって負担していることから、従来のように親綱を単に親綱用支柱間に差し渡す場合と比べて、親綱用支柱１０・・自体の構造や親綱用支柱１０・・の取付構造を簡単にしながら、高い安全性を確保することができる。
【００３２】
そして、このように張設した棟用親綱４に対して、図１及び８に示すように、作業者Ｍに繋いだ命綱５０の命綱フック５１を係止させることで、作業者Ｍの転落を防止している。これにより、作業者Ｍは、母屋５２、野地板５３、防水シート、屋根板等の設置作業を安全に行うことができる。
【００３３】
この設置作業に際して、作業者Ｍは、寄棟屋根１の勾配方向及び桁行方向に適宜移動しながら作業を進めることになるが、桁行方向（棟部２に沿った方向）への移動に際しては、棟用親綱４に沿ってスライドする命綱フック５１が親綱用支柱１０・・の綱挿通部１２・・に干渉することになる。このような場合、棟用親綱４に対して命綱フック５１をいちいち掛け替えていたのでは、危険を伴うとともに作業性の悪化を招くことになる。そこで、上記の親綱用支柱１０の綱挿通部１２においては、棟用親綱４に係止した命綱フック５１の通り抜けを許容している。すなわち、綱挿通部１２の開口１６は、棟用親綱４に係止した命綱フック５１を通過可能とし、開口１６の外周上側部分を開放する棒材両端間の隙間１７は、命綱フック５１に取り付けた命綱５０を通過可能としており、図９に示すように、命綱５０を隙間１７から開口１６に差し入れてから、命綱５０を引っ張ることで、棟用親綱４に係止した命綱フック５１が開口１６を通過するようになっている。これにより、桁行方向（棟部２に沿った方向）への移動に際して、命綱フック５１をいちいち掛け替える必要がなく、安全性及び作業性を良好に維持することができる。
【００３４】
また、母屋５２・・や野地板５３・・の設置に際して、屋根トラス２０の頂部に固定したジョイント部材２１が邪魔になることが懸念される。そこで、ジョイント部材２１においては、その凹状本体部２２が母屋及５２・・及び野地板５３・・を設置したときに生じる棟隙間５５に配置可能な大きさに設定されている。これにより、図８に示すように、母屋５２・・や野地板５３・・をジョイント部材２１に干渉させることなく設置することができ、また凹状本体部２２の枠形状を利用することで、母屋５２・・に止め付けた固定用ボルト５６、５６とジョイント部材２１との干渉も避けることができる。しかも、ジョイント部材２１は、上方開放の凹状本体部２２に支柱設置部２３を着脱可能に取り付けた構造となっていることから、支柱設置部２３を凹状本体部２２から取り外せば、上方から治具を差し入れて、凹状本体部２２の底片２５を固定している下向きのボルト３６、３６を取り外すことができるようになっている。これにより、設置作業の完了後に、屋根上側からの操作だけで、親綱用支柱１０及びジョイント部材２１を簡単に取り外すことができる。
【００３５】
さらに、寄棟屋根１の軒部６において設置作業を行う場合、棟用親綱４に命綱５０を連結した状態では、命綱５０が長くなって作業性が悪くなるため、通常であれば軒部６に近接する外部足場３に命綱５０を連結して作業を行う。ところが、下屋５の直上に位置する軒部６では、外部足場３と軒部６との間に下屋５が位置するため、このような外部足場３に命綱５０を連結しても、安全性を確保することはできない。従って、下屋５の直上に位置する軒部６における設置作業に際しては、下屋５に対して下屋足場を設置し、さらに軒先水平ネットを張って安全性を確保した後に、作業を行うようにしている。しかし、実際の現場では、下屋足場や軒先水平ネットの設置前に、屋根側の作業を求められることがある。
【００３６】
そこで、上述したように、住宅外周に配置した桁行方向に対向する外部足場３、３間に軒部６に沿って差し渡した軒用親綱７を、軒部６から浮かした状態で張設し、この軒用親綱７に対して、作業者Ｍに繋いだ命綱５０の命綱フック５１を係止させるようにしている。また、軒用親綱７には、親綱用支柱１０のシャックル１５に係止した連結綱８が繋がれており、軒用親綱７の弛みを抑えるようにしている。これにより、下屋足場や軒先水平ネットの設置前であっても、安全性を確保しながら、下屋５の直上に位置する寄棟屋根１の軒部６での作業を行うことができるようにしている。なお、このような軒用親綱７の張設は、バルコニーやその他の外周張出部の直上に位置する軒部においても同様に行うようにしている。
【００３７】
この発明は、上記実施形態に限定されるものではなく、この発明の範囲内で上記実施形態に多くの修正及び変更を加え得ることは勿論である。例えば、この発明の親綱の張設構造は、２階建て鉄骨住宅に限らず、例えば木造住宅や３階建て住宅の勾配屋根に対しても適用可能である。また、寄棟屋根だけに限らず、切妻屋根や片流れ屋根、さらには図１０に示すような違い棟屋根６０に対しても適用可能であり、それら棟部の要所要所に親綱用支柱１０・・を立設することで、外部足場３、３間に差し渡した棟用親綱４を棟部に沿って適切に張設することができる。
【図面の簡単な説明】
【００３８】
【図１】この発明の一実施形態に係る親綱の張設構造を示す斜視図である。
【図２】同じくその正面図である。
【図３】同じくその平面図である。
【図４】親綱用支柱及びジョイント部材の分解斜視図である。
【図５】親綱用支柱の綱挿通部の平面図である。
【図６】ジョイント部材を介して親綱用支柱を屋根トラスの頂部に取り付けた状態を示す斜視図である。
【図７】親綱用支柱を取り付けた屋根トラスの吊り上げ状態を示す図である。
【図８】棟部における親綱用支柱を立設した部分の状態を示す斜視図である。
【図９】親綱用支柱の綱挿通部を通り抜ける命綱フックの状態を示す図である。
【図１０】違い棟屋根に対して棟用親綱を張設した状態を示す平面図である。
【符号の説明】
【００３９】
１・・勾配屋根、２・・棟部、３・・外部足場、４・・棟用親綱、５・・下屋、６・・軒部、７・・軒用親綱、８・・連結綱、１０・・親綱用支柱、１２・・綱挿通部、１６・・開口、１７・・隙間、２０・・屋根トラス、２１・・ジョイント部材、２２・・凹状本体部、２３・・支柱設置部、２５・・底片、３４、３６・・ボルト、５０・・命綱、５１・・命綱フック、５２・・母屋、５３・・野地板、５５・・棟隙間
【図１】
0005369510.tif 000002
【図２】
0005369510.tif 000003
【図３】
0005369510.tif 000004
【図４】
0005369510.tif 000005
【図５】
0005369510.tif 000006
【図６】
0005369510.tif 000007
【図７】
0005369510.tif 000008
【図８】
0005369510.tif 000009
【図９】
0005369510.tif 000010
【図１０】
0005369510.tif 000011